(57)【要約】【課題】  面発光照明装置の色温度を簡単に修正できるようにする。【解決手段】導光板と、該導光板の内部に光を出射する光源と、導光板に当接配置される光反射板及び/又は光拡散板とから成る面発光照明装置を作成し、作成した面発光照明装置の発光面の色温度を測定し、測定した色温度が必要とする色温度でない場合、光反射板及び/又は光拡散板を着色するためのインクを選定し、選定したインクを使用してインクジェットプリンタにより前記光反射板及び/又は光拡散板に着色印刷を施し、着色印刷した光反射板及び/又は光拡散板を使用した面発光照明装置の発光面の色温度を測定する。測定した面発光照明装置の発光面の色温度が許容範囲に入るまで光反射板及び/又は光拡散板の着色印刷の修正を繰り返す。【選択図】  図１
2014063580.tif 000002
【特許請求の範囲】
【請求項１】
導光板と、該導光板の内部に光を出射する光源と、導光板に当接配置される光反射板及び/又は光拡散板とから成る面発光照明装置の発光面の色温度調整方法であって、上記面発光照明装置を作成するプロセスと、
作成した面発光照明装置の発光面の色温度を測定し、色温度データを作成するプロセスと、前記測定した色温度が必要とする色温度でない場合、前記光反射板及び/又は光拡散板を着色するためのインクを選定するプロセスと、
前記選定したインクを使用してインクジェットプリンタにより前記光反射板及び/又は光拡散板に着色印刷を施すプロセスと、
前記着色印刷した光反射板及び/又は光拡散板を使用した面発光照明装置の発光面の色温度を測定するプロセスを備え、測定した面発光照明装置の発光面の色温度が許容範囲に入るまで光反射板及び/又は光拡散板の着色印刷の修正を繰り返すようにしたことを特徴とする面発光照明装置の色温度の調整方法。
【請求項２】
前記インクを選定するプロセスは、着色用インクの中の単色の選択又は組み合わせの選択から成ることを特徴とする請求項１に記載の面発光照明装置の色温度の調整方法。
【請求項３】
前記インクを選定するプロセスは、予め面発光照明装置の色温度の遷移の方向と、光反射板及び/又は光拡散板を着色するためのインクの種類及び組み合わせとの関係を示す参照データを作成しておき、この参照データに基づいてインクを選択するようにしたことを特徴とする請求項１に記載の面発光照明装置の色温度の調整方法。
【請求項４】
導光板と、該導光板の内部に光を出射する光源と、導光板に当接配置される光反射板及び/又は光拡散板とから成る面発光照明装置の発光面の色温度調整方法であって、予め着色用のインクを用いて、これらのインクの単色の印刷面又は組み合わせからなる印刷面が形成された複数の光反射板及び/又は光拡散板を用意しておくプロセスと、
上記面発光照明装置を作成するプロセスと、
作成した面発光照明装置の発光面の色温度を測定し、色温度データを作成するプロセスと、
前記測定した色温度が必要とする色温度でない場合、前記予め準備された光反射板及び/又は光拡散板の中から色温度修正のための光反射板及び/又は光拡散板を選定するプロセスと、
前記選定した光反射板及び/又は光拡散板を前記導光板に当接配置して面発光照明装置を作成するプロセスと、
前記選定した光反射板及び/又は光拡散板を使用した面発光照明装置の発光面の色温度を測定するプロセスとを備え、測定した面発光照明装置の発光面の色温度が許容範囲に入るまで、光反射板及び/又は光拡散板の選択を繰り返すようにしたことを特徴とする面発光照明装置の色温度の調整方法。
【請求項５】
コンピュータに格納された印刷データを装置本体側の記録ヘッドからインクを吐出し記録ヘッドと印刷媒体を相対移動させて印刷媒体に印刷する印刷装置であって、面発光装置に用いられる導光板と反射板及び／又は拡散板を前記記録ヘッドに対して相対移動可能に保持する保持機構と、導光板印刷用の記録ヘッドと反射板及び／又は拡散板印刷用の記録ヘッドと、導光板印刷用の記録ヘッドに白インクを供給する白インク供給部と、反射板及び／又は拡散板印刷用の記録ヘッドにカラーインクを供給するカラーインク供給部とを備え、コンピュータまたは装置本体側のコントロール部の記憶装置に、導光板の色温度調整用の印刷データと、反射板及び／又は拡散板着色用の色温度等の補正用の印刷データを格納したことを特徴とする印刷装置。
【発明の詳細な説明】
【技術分野】
【０００１】
本発明は導光板の側面から入れた光を拡散させ、発光表面に均一の光を出す面発光照明装置の色温度の調整方法及び該面発光照明装置を作成するための印刷装置に関するものである。
【背景技術】
【０００２】
表面を照明光照射面とし、裏面にインクジェットプリンタで白インク一色だけで多数個の印刷ドットにより反射印刷面を形成して導光板を製作する方法が従来知られている（例えば特許文献１参照）。
また、エッジライト方式の面状光源において発光源であるLED等のスペクトルの不可避なばらつきを導光板により補正して照明光として出射させる面状光源が従来知られている（例えば特許文献２参照）。
また、光拡散板の表面に顔料を含む着色層を設けた液晶表示装置が従来知られている（例えば特許文献３参照）。
また、反射板と拡散板とを備えた面状発光体において、拡散板又は反射板が着色されている面状発光体が従来知られている（例えば特許文献４参照）。
また、導光板と、光拡散板と、光反射板と着色シートを順次設けた液晶表示装置が従来知られている（例えば特許文献５参照）。
【先行技術文献】
【特許文献】
【０００３】
【特許文献１】特開平９−６８６１４号公報
【特許文献２】特開２００２−１５０８２１号公報
【特許文献３】特開２００３−２７９９８５号公報
【特許文献４】特開平７−１１３９１２号公報
【特許文献５】特開平８−１４６２２８号公報
【発明の概要】
【発明が解決しようとする課題】
【０００４】
面発光照明装置においてインクジェットプリンタで導光板の裏面に白インクにより反射印刷を施し、この導光板に光源を配置した構成のものがある。この種の面発光照明装置において、複数の面発光照明装置を作成するとき、発光面が同一の色温度であることが要求されることがある。例えば個々の照明装置だけで見ている場合には気にならない差であっても、複数の照明装置を並べて全体で大きな照明光源を設けるような場合には、個々の個体差による色温度等の差が視覚的に気になってくる。しかるに、同じ白インクを用いた導光板を用いた面発光照明装置であっても、用いるＬＥＤなどの光源の性能のバラツキにより、色温度が微妙に異なってしまう。この色温度を修正する場合、導光板へ新たに修正した反射印刷を行うことは、コストと手間がかかる。そのため、容易に面発光照明装置の発光面の色温度の調整を行うことができないという問題点がある。  
尚、ここで色温度とは、ある色を放つ光源に含まれる青紫光と赤色光の相対的な強さを表す数値のことである。
本発明は、上記問題点を解決することを目的とするものである。
【課題を解決するための手段】
【０００５】
上記目的を達成するため、本発明は、導光板と、該導光板の内部に光を出射する光源と、導光板に当接配置される光反射板及び/又は光拡散板とから成る面発光照明装置の発光面の色温度調整方法であって、上記面発光照明装置を作成するプロセスと、
作成した面発光照明装置の発光面の色温度を測定し、色温度データを作成するプロセスと、
前記測定した色温度が必要とする色温度でない場合、前記光反射板及び/又は光拡散板を着色するためのインクを選定するプロセスと、
前記選定したインクを使用してインクジェットプリンタにより前記光反射板及び/又は光拡散板に着色印刷を施すプロセスと、
前記着色印刷した光反射板及び/又は光拡散板を使用した面発光照明装置の発光面の色温度を測定するプロセスを備え、測定した面発光照明装置の発光面の色温度が許容範囲に入るまで光反射板及び/又は光拡散板の着色印刷の修正を繰り返すようにしたことを特徴とする。
また本発明は、前記インクを選定するプロセスは、着色用インクの中の単色の選択又は組み合わせの選択から成ることを特徴とする。
また本発明は、前記インクを選定するプロセスは、予め面発光照明装置の色温度の遷移の方向と、光反射板及び/又は光拡散板を着色するためのインクの種類及び組み合わせとの関係を示す参照データを作成しておき、この参照データに基づいてインクを選択するようにしたことを特徴とする。
また本発明は、導光板と、該導光板の内部に光を出射する光源と、導光板に当接配置される光反射板及び/又は光拡散板とから成る面発光照明装置の発光面の色温度調整方法であって、
予め着色用のインクを用いて、これらのインクの単色の印刷面又は組み合わせからなる印刷面が形成された複数の光反射板及び/又は光拡散板を用意しておくプロセスと、
上記面発光照明装置を作成するプロセスと、
作成した面発光照明装置の発光面の色温度を測定し、色温度データを作成するプロセスと、
前記測定した色温度が必要とする色温度でない場合、前記予め準備された光反射板及び/又は光拡散板の中から色温度修正のための光反射板及び/又は光拡散板を選定するプロセスと、
前記選定した光反射板及び/又は光拡散板を前記導光板に当接配置して面発光照明装置を作成するプロセスと、
前記選定した光反射板及び/又は光拡散板を使用した面発光照明装置の発光面の色温度を測定するプロセスと
を備え、測定した面発光照明装置の発光面の色温度が許容範囲に入るまで、光反射板及び/又は光拡散板の選択を繰り返すようにしたことを特徴とするものである。
また本発明は、コンピュータに格納された印刷データを装置本体側の記録ヘッドからインクを吐出し記録ヘッドと印刷媒体を相対移動させて印刷媒体に印刷する印刷装置であって、面発光装置に用いられる導光板と反射板及び／又は拡散板を前記記録ヘッドに対して相対移動可能に保持する保持機構と、導光板印刷用の記録ヘッドと反射板及び／又は拡散板印刷用の記録ヘッドと、導光板印刷用の記録ヘッドに白インクを供給する白インク供給部と、反射板及び／又は拡散板印刷用の記録ヘッドにカラーインクを供給するカラーインク供給部とを備え、コンピュータまたは装置本体側のコントロール部の記憶装置に、導光板の色温度調整用の印刷データと、反射板及び／又は拡散板着色用の色温度等の補正用の印刷データを格納したことを特徴とするものである。
【発明の効果】
【０００６】
本発明は、作成した面発光照明装置の色温度や色味をある一定の範囲内の色温度に簡単に修正することができる。
【図面の簡単な説明】
【０００７】
【図１】本発明の説明図である。
【図２】反射板への着色による色座標の遷移を示す図である。
【図３】本発明の説明図である。
【図４】本発明の説明図である。
【図５】本装置のブロック説明図である。
【図６】データテーブルの説明図である。
【図７】本発明の説明図である。
【図８】本発明の説明図である。
【図９】本発明の説明図である。
【図１０】本発明の説明図である。
【図１１】本発明の説明図である。
【図１２】導光板の説明図である。
【図１３】本発明の説明図である。
【図１４】プリンタの説明図である。
【図１５】本発明の説明図である。
【図１６】本発明の説明図である。
【図１７】本発明の説明図である。
【図１８】本発明の説明図である。
【図１９】本発明の説明図である。
【図２０】本発明の動作を示すフローチャートである。
【図２１】本発明の動作を示すフローチャートである。
【発明を実施するための形態】
【０００８】
以下に本発明の構成を添付した図面を参照して詳細に説明する。
図５及び７は、インクジェットプリンタ２と、該プリンタ２のコントローラに入出力インターフェイスを介して接続するパーソナルコンピュータなどのコンピュータ４とからなる導光板及び反射板印刷装置の概略図を示している。導光板６は図１２に示すように、発光面６ａに対して裏側の印刷面６ｂを上にしてボード状の搬送補助部材８の嵌合凹部５０に保持された状態でメディア駆動機構５８により、図１４に示すように、搬送テーブル４８側からプラテン１０上に搬送される。このプラテン１０上の導光板６に対して、その搬送方向とは直角な主走査方向にインクジェット記録ヘッドを備えた印刷部５０がノズルからインクを吐出しながら移動し、コンピュータ４からインクジェットプリンタ２のコントローラに転送される印刷データが、該コントローラに格納されたソフトウェアの制御により導光板６の印刷面６ｂ上に印刷（描画）される。
【０００９】
印刷の終わった導光板６はガイド１１の上に配置された搬送テーブル４６上に搬送される。反射板（反射シート）６２は図１６に示すように、印刷面を上にしてボード状の搬送補助部材９に載置保持された状態でメディア駆動機構５８により、図１４に示すように、搬送テーブル４８側からプラテン１０上に搬送される。このプラテン１０上の反射板６２に対して、その搬送方向とは直角な主走査方向にインクジェット記録ヘッドを備えた印刷部５０がノズルからインクを吐出しながら移動し、コンピュータ４からインクジェットプリンタ２のコントローラに転送される印刷データが、該コントローラに格納されたソフトウェアの制御により反射板６２の印刷面上に印刷（描画）される。印刷の終わった反射板６２はガイド１１の上に配置された搬送テーブル４６上に搬送される。
【００１０】
プラテン１０上には、横レール５２が架設され、該横レール５２にキャリッジ１２が移動自在に連結している。このキャリッジ１２には図９に示すように、導光板印刷用の複数個のインクジェット記録ヘッド１４，１６，１８，２０と反射板印刷用の複数個のインクジェット記録ヘッド１４’，１６’，１８’，２０’が保持されている。各記録ヘッド１４，１６，１８，２０，１４’，１６’，１８’，２０’は、インクを吐出する多数個のノズル２２を備えている。各ヘッド１４，１６，１８，２０は、図９（Ａ）に示すように、それぞれプリンタ２の機体２４に配設されたインクタンク２６，２８，３０，３２を備えた白インク供給部５６の各インクタンクにチューブなどのインク供給手段を介して連通している。また、各ヘッド１４’，１６’，１８’，２０’は、図９（Ａ）に示すように、それぞれプリンタ２の機体２４に配設されたインクタンク２６’，２８’，３０’，３２’を備えたカラーインク供給部５７の各インクタンクにチューブなどのインク供給手段を介して連通している。
【００１１】
複数個の記録ヘッド１４，１６，１８，２０は、図９（Ｂ）に示すように横レール５２に沿った主走査方向Ｍに互いの印刷領域が重なるように並列配置されている。コンピュータ４の記憶装置には、光反射パターンの印刷データ作成用のソフトウエア（印刷プログラム）が格納されるとともに、データテーブル格納部３３に、導光板作成用の、図６に示す、データテーブル３４が設けられている。このデータテーブル３４は複数種類そろえた白インクを、個々または組み合わせて導光板に印刷を行うことにより、多種の色温度の導光板の作成ができるようにするために、色温度とインクとの組み合わせをあらかじめ設定したものであり、このデータテーブル３４を使用することにより、簡単に多種の色温度の導光板を作成することができるものである。コンピュータに格納された印刷制御用のソフトウエアではデータテーブル３４の作成、修正などを行うことができる。
【００１２】
また、コンピュータ４のデータテーブル格納部３３には、反射板印刷用に、ＣＭＹの組み合わせテーブルや、印刷濃度のデータテーブル３５（図２１参照）が格納されている。
作成された導光板６は、図１２に示すように、透明なアクリル板の印刷面６ｂの平面部分に反射ドットまたは反射グラデュエーション（曇りガラスのような細かいドット）を印刷したものであり、導光板６の厚み部分に冷陰極管やＬＥＤなどの発光体から成る光源５４を配置することにより、発光面６ａの平面全体が発光しているように見せるものである。
データテーブル３４は、３種類の色温度の違う白インク１，２，３を用意した場合の例を示している。酸化チタンを用いたインクを使用する場合にはインク中の酸化チタンの粒子径の分布により、色温度の違う白インクを用意し、粒子径の分布のばらつきを変更すると反射光に差が出て色温度に差が出る。
【００１３】
［白インクと色温度について］
白インクは酸化チタンをインクの顔料としている。酸化チタンの粒子は粒子径の２倍の波長の光をもっとも強く反射する性質があり、白インクとしての理想は酸化チタンの粒子径の分布が、図１７に示すように、２００ｎｍ−４００ｎｍで均一に存在することである。その場合、粒子径２００ｎｍ−４００ｎｍの２倍の波長の光４００ｎｍ−８００ｎｍ（可視光）を均一に反射する白色になる。しかし実際の白インクでは、粒子径の分布が、２００ｎｍ−４００ｎｍで均一に存在することは稀であり、
（１）粒子径２００ｎｍに多く存在する場合（図１８参照）、４００ｎｍの光（短波長）を強く反射する白インク、色温度が高く青みがかった白色のインクになる。
（２）粒子径４００ｎｍに多く存在する場合（図１９参照）、８００ｎｍの光（長波長）を強く反射する白インク、色温度が低く赤くまたは、黄、緑色かかった白インクになる。
色温度の調整においては、これらの色温度の異なる（酸化チタンの分布が異なる）白インクの組み合わせによって、所望の色温度＝所望の酸化チタン分布＝所望の光の波長域、の導光板を作成する。しかしながら、酸化チタンの粒子径のみでの色温度の調整が難しい場合は、その他の粒子、銅フタロシアニンなどを加えることにより所望の光の波長域を得ることもある。本実施形態で使用される白インクには、銅フタロシアニンが微量に添加されている。この添加の量は、実験的に適量を選択することでインクの色温度のコントロールが容易となる実験結果を得ている。
【００１４】
図１７−図１９はインク中の酸化チタンの粒子径の分布イメージ図であり、横軸は粒径を示し、縦軸は分布の度合いを示している。図１７は、理想的な白インク中の酸化チタン粒子の分布を示し、図１８−図１９は、実際の白インク中の酸化チタン粒子の分布を示している。図６において、光源は同じ場合で、図２に示すＡの印刷条件で印刷した場合の導光板の色温度が４５００Ｋだとすると、Ｂの条件で印刷した場合は、５０００Ｋ、Ｃの条件で印刷した場合は５５００Ｋ、であるが、組み合わせれば、Ｄの条件だと４５００Ｋ〜５０００Ｋの間、Ｅの条件だと５０００Ｋ〜５５００Ｋの間の色温度が得られるようになる。
図８は導光板の光反射パターンを示したものであり、均一に反射させるために光反射パターンは光源から遠くなるにつれて面積が大きくなるようにしている。パターンは面積を大きくする以外に同じ面積のものの密度を濃くして印刷しても良く、必要に応じて組み合わせても良い。
【００１５】
図１０，１１は、インクジェット記録ヘッドの導光板に対する印刷動作の説明図であり、記録ヘッド１４は、データテーブル３４に記載された白インク１の入ったインクタンク２６に連通し、記録ヘッド１６は、白インク２の入ったインクタンク２８に連通し、記録ヘッド１８は白インク３の入ったインクタンク３０に連通している。白インク１，２，３は互いにインク中の酸化チタンの粒子径の分布を異にし、それによってインクの色温度を異にしている。
図１０（Ａ）（Ｂ）は、図２のデータテーブル３４に示す、条件Ｂの印刷動作を示している。図１０（Ａ）において、記録ヘッド１６のノズルから白インク２の、通常の量のインクドット３６が吐出され、導光板６に、白インク２が１００％のインクドット３６が１ドット分形成された状態を示している。即ち白インク２だけ使用して全面を印刷していることになる。
【００１６】
図１１（Ａ）（Ｂ）（Ｃ）は、図６のデータテーブル３４に示す印刷条件Ｅの印刷動作を示している。図１１において、記録ヘッド１６のノズルから、白インク２の、通常の量の半分のインクドット３８が吐出され、導光板６に印刷される。次に、記録ヘッド１８から、白インク３の、通常の量の半分のインクドット３８が先に印刷された白インク２のインクドット３８上に吐出され、２つのインクドット３８，３８が重ねて１ドット分印刷される。この重ねて印刷された１ドット分の印刷４０は、白インク２が５０％、白インク３が５０％となる。即ち白インク２、白インク３を組合わせて全面を印刷している。このインクの吐出制御はヘッド駆動用の印刷用波形や駆動電圧を複数用意し、必要な駆動波形や駆動電圧を選択して使用することにより印刷される。
【００１７】
次に図２０のフローチャートを参照して導光板の印刷面に反射印刷を施す工程を説明する。
まず、オペレータは、ステップ１で、導光板の反射パターンを作成するためのソフトウエアを用いて、コンピュータ４上に反射面用印刷データ４２を作成する。この印刷データ４２は、コンピュータ４のディスプレイ４４に表示される。また、このディスプレイ４４には、白インクの使用条件Ａ，Ｂ，Ｃ，Ｄ，Ｅ，Ｆを示すデータ入力用の表示４８が表示される。この表示４８の使用条件Ａ，Ｂ，Ｃ，Ｄ，Ｅ，Ｆはデータテーブル３４に対応している。
【００１８】
次にオペレータは、ステップ２でコンピュータ４のディスプレイ４４の表示４８を参照して、使用条件を選択し、マウスなどの入力手段を用いて、条件選択ボタン表示４６をクリックしてコンピュータ４に使用条件即ち印刷条件を入力する。コンピュータは選択された条件によりデータテーブル３４を参照して、ステップ３で、使用するインク１，２，３を決定する。コンピュータ４は、ステップ４で１つの白インクを使用するモードを選択し、あるいはステップ５で複数の白インクを使用するモードを選択する。ステップ６で、コンピュータ４の画面から印刷ボタン５０を実行するとコンピュータ４からプリンタ２に印刷データが転送され（ステップ７）、その後プリンタ２にてデータの処理がされた後に（ステップ８）、記録ヘッドが主走査方向に駆動されて導光板６に選択された印刷条件の白インクにて印刷がされる（ステップ９）。
【００１９】
実施例では、違う色温度の白インクを５０％で同じ位置に印刷する技術で説明をしたが、それに限らず１００％＋５０％の印刷を行ってもよく、また同じ色温度の白インクをもう１つ用意して（白１，白１，白２，白３）、必要に応じて同じ場所に印刷を行えば１００％＋１００％＝２００％の印刷もできるようになるので、色温度をさらに変更する事も可能になる。なお同じ色温度の白インクを複数用意しない場合には、同じ場所に二度打ちを行う印刷制御を行っても良い。
インクジェットプリンタの特徴として場所ごとに違うインクでの印刷が可能であるので、複数ある光源を使用する場合にはその輝度にばらつきがあっても、場所ごとにあわせた違う色温度で印刷を行うようにすれば簡単に補正する事もできる。
【００２０】
また、データテーブル３４はプリンタ２のコントローラに搭載されたメモリに設けても良く、その場合には印刷条件をプリンタ２側にて最初に設定しておき、コンピュータ４から印刷データだけ転送するようにすれば良い。図３は面発光照明装置６０の全体構造を示し、導光板６に反射板６２や拡散板６４を組み合わせ、且つＬＥＤからなる光源５４を取り付けてテレビや液晶モニターなどのバックライトやその他の用途に用いられる面発光照明装置を構成する。
【００２１】
次に、図１を参照して、面発光照明装置の色温度の調整のプロセスについて説明する。
最初に適宜な色温度を持つＬＥＤなどの光源を用いて発光面が所望の色温度となるように図３に示す面発光照明装置６０を作成する（ステップ１）。次に面発光照明装置６０の発光面の色温度を公知の測定器具を用いて測定する（ステップ２）。次に、面発光照明装置６０が必要な色温度か否か判断する（ステップ３）。色温度が必要な色温度でなかった場合には、インクジェットプリンタにて、反射板６２又は、拡散板６４に対して、面発光照明装置６０の発光面を必要な色温度の領域に近づけるために、イエロー（Ｙ）、マゼンタ（Ｍ）、シアン（Ｃ）などの着色インクを指定してドットまたはグラデュエーション（曇りガラスのような細かいドット）で印刷し、着色印刷面６６を形成する（ステップ５）。
【００２２】
反射板６２又は拡散板６４に着色することで面発光照明装置６０の発光面の白色光の色座標を遷移させることができ、これによって、面発光照明装置の白色光の色温度を必要な領域に調製することができる。この場合、反射板６２又は拡散板６４に対してシアン、イエロー、マゼンタの中の単色又は、これらのインクの組み合わせで着色することで、色座標を自由に遷移できる。図２は、反射板への着色等による色座標の遷移を示す色度図であり、横軸はＸ値、縦軸はＹ値を示している。図中Ａは、平均酸化チタン粒径３００ｎｍの白インクで反射印刷を施した導光板の色座標を示している。Ｂは同３００ｎｍの白インクで反射面を作った導光板にマゼンタの着色をした反射板を使ったときの面発光照明装置の色座標の一例を示している。Ｃは同３００ｎｍの白インクで反射面を作った導光板にイエローの着色をした反射板を使ったときの面発光照明装置の色座標の一例を示している。
【００２３】
Ｄは、同３００ｎｍの白インクで作った導光板にイエローとシアンの着色をした反射板を使ったときの面発光照明装置６０の色座標の一例を示している。Ｅは同３００ｎｍの白インクで反射面を作った導光板にシアンの着色をした反射板を作ったときの面発光照明装置６０の色座標の一例を示している。
面発光照明装置６０の色座標のＡの位置からＢ，Ｃ，Ｅの方向へ遷移させるための反射板の着色は、単色で可能である。Ｄの方向への遷移はシアンとイエローの組み合わせが必要である。また、マゼンタ、イエローを組み合わせた場合でも、ＢとＣの中間の方向に遷移する。同様に、面発光照明装置６０の色座標を、Ａの位置からＣとＤ、ＤとＥ、ＥとＢの中間方向に遷移させることも可能である。このようにある座標値にあるものを希望する位置まで移動させるために必要な方向や色の組み合わせに関しての特定ができる。
【００２４】
上記色度図を実験により多数作成し、この実験データに基づいて、反射板に着色するＣＭＹの顔料の選択と色座標の遷移の方向との関係、ＣＭＹの顔料の濃度と色座標の遷移の方向との関係を示す色座標遷移データを用意し、このデータに基づいて、必要な色温度を得るためのＣＭＹの顔料インクを指定し、このインクを使って反射板に着色する。
次に、着色した反射板を使った面発光照明装置６０の色温度を測定し（ステップ２）、色温度が必要な色温度の領域にあれば、色温度調整処理を終了し、必要な色温度が得られなければステップ４，５に戻り、必要な色温度が得られるまで、色温度調整処理を繰り返す。尚、予め、ＣＭＹのインクを用いて、ＣＭＹの各単色あるいは、ＣＭＹの組み合わせによる着色印刷した光反射板及び/又は光拡散板を多数準備しておき、測定した面発光照明装置の色温度が、必要な色温度でなかった場合に、これらの光反射板及び/又は光拡散板を選択して、選択した光反射板及び/又は光拡散板で面発光照明装置を作成し、面発光照明装置の発光面の色温度の修正を行うようにしても良い。
【００２５】
次に図２１のフローチャートを参照して反射板の印刷面に着色印刷を施す工程を説明する。
まず、オペレータは、ステップ１で、反射板の着色パターンを作成するためのソフトウエアを用いて、コンピュータ４上に反射板印刷データを作成する。次にオペレータは、ステップ２で、測定結果より、データテーブル３５を参照して、ＣＭＹの組み合わせや印刷濃度などの印刷条件を入力する。コンピュータは入力された印刷条件によりステップ３で、使用するインクを決定する。コンピュータ４は、ステップ４で１つの着色インクを使用するモードを選択し、あるいはステップ５で複数の着色インクを使用するモードを選択する。ステップ６で、コンピュータ４の画面から印刷ボタンを実行するとコンピュータ４からプリンタ２に印刷データが転送され、その後プリンタ２にてデータの処理がされた後に（ステップ７）、記録ヘッドが主走査方向に駆動されて反射板６２に選択された印刷条件のインクにて印刷がされる（ステップ８）。
【符号の説明】
【００２６】
２        インクジェットプリンタ
４        コンピュータ
６        導光板
８        搬送補助部材
９        搬送補助部材
１０      プラテン
１２      キャリッジ
１４      記録ヘッド
１６      記録ヘッド
１８      記録ヘッド
２０      記録ヘッド
２２      ノズル
２４      機体
２６      インクタンク
２８      インクタンク
３０      インクタンク
３２      インクタンク
３４      データテーブル
３５      データテーブル
３６      インクドット
３８      インクドット
４０      インクドット
４２      印刷データ
４４      ディスプレイ
４６      搬送テーブル
４８      搬送テーブル
５０      印刷部
５２      横レール
５４      光源
５６      白インク供給部
５８      メディア駆動機構
６０      面発光照明装置
６２      反射板
６４      拡散板
６６      着色印刷面
【図１】
2014063580.tif 000003
【図２】
2014063580.tif 000004
【図３】
2014063580.tif 000005
【図４】
2014063580.tif 000006
【図５】
2014063580.tif 000007
【図６】
2014063580.tif 000008
【図７】
2014063580.tif 000009
【図８】
2014063580.tif 000010
【図９】
2014063580.tif 000011
【図１０】
2014063580.tif 000012
【図１１】
2014063580.tif 000013
【図１２】
2014063580.tif 000014
【図１３】
2014063580.tif 000015
【図１４】
2014063580.tif 000016
【図１５】
2014063580.tif 000017
【図１６】
2014063580.tif 000018
【図１７】
2014063580.tif 000019
【図１８】
2014063580.tif 000020
【図１９】
2014063580.tif 000021
【図２０】
2014063580.tif 000022
【図２１】
2014063580.tif 000023